(57)【要約】【課題】  限られたスペースで摺動の滑らかさ及び支持安定性を改善することが可能なスライドレールアセンブリを提供すること。【解決手段】  スライドレールアセンブリは第１のレール、第２のレール、第３のレール、第１の支持アセンブリ及び摺動補助アセンブリを含む。第１の支持アセンブリは第２のレールを支持するために第１のレールに配置されている。摺動補助アセンブリは第２のレールに可動に取り付けられ、第３のレールを支持するために複数のボールを含む。【選択図】  図１
2018047220.tif 000002
【特許請求の範囲】
【請求項１】
第１の壁部、第２の壁部及び該第１の壁部と該第２の壁部との間で延在するように連結される第１の側壁とを含む第１のレールであって、該第１の壁部、該第２の壁部及び該第１の側壁によって第１の通路が定義される、第１のレールと、
前記第１の通路内で前記第１のレールに対して可動な第２のレールであって、該第２のレールは、第３の壁部、第４の壁部及び該第３の壁部と該第４の壁部との間で延在するように連結される第２の側壁を含み、該第３の壁部、該第４の壁部及び該第２の側壁によって第２の通路が定義され、前記第３の壁部は第１の屈曲部、第２の屈曲部及び第３の屈曲部をさらに含み、前記第４の壁部は第４の屈曲部、第５の屈曲部及び第６の屈曲部を含み、前記第１の屈曲部の内側で第１の接触面が形成され、前記第２の屈曲部の外側で第２の接触面が形成され、前記第３の屈曲部の端部は前記第１の屈曲部の方に延び、前記第４の屈曲部の内側で第３の接触面が形成され、前記第５の屈曲部の外側で第４の接触面が形成され、前記第６の屈曲部の端部は前記第４の屈曲部の方に延びている、第２のレールと、
前記第２の通路内で前記第２のレールに対して可動な第３のレールであって、該第３のレールは、第５の壁部、第６の壁部及び該第５の壁部と該第６の壁部との間で延在するように連結される第３の側壁を含み、前記第５の壁部は前記第２のレールの第１の接触面に対応する第５の接触面を有し、前記第６の壁部は前記第２のレールの第３の接触面に対応する第６の接触面を有する、第３のレールと、
前記第１のレールの第１の長手方向位置に配置される第１の支持アセンブリであって、該第１の支持アセンブリは、前記第１のレールの第１の壁部及び第２の壁部のそれぞれに固定配置されるとともに前記第２のレールを支持するように構成された第１の支持部材及び第２の支持部材を含み、該第１の支持アセンブリの第１の支持部材は前記第２のレールの第２の接触面に対応する第１の支持部を有し、該第１の支持アセンブリの第２の支持部材は前記第２のレールの第４の接触面に対応する第２の支持部を有する、第１の支持アセンブリと、
前記第２のレールに配置される摺動補助アセンブリであって、該摺動補助アセンブリは前記第３のレールを前記第２のレールに対して動かすのを支援するように構成された複数のボールを含む、摺動補助アセンブリと、
を含むスライドレールアセンブリ。
【請求項２】
前記第１のレールの第１の壁部は第１の屈曲部及び第２の屈曲部を含み、
前記第１の屈曲部は前記第１の側壁の上端から実質的に垂直に延び、前記第２の屈曲部は前記第１の屈曲部から実質的に垂直に延びており、
前記第２の壁部は第３の屈曲部及び第４の屈曲部を含み、
前記第３の屈曲部は前記第１の側壁の下端から実質的に垂直に延びるとともに前記第１の屈曲部に対応し、前記第４の屈曲部は前記第３の屈曲部から実質的に垂直に延びるとともに前記第２の屈曲部に対応する、請求項１に記載のスライドレールアセンブリ。
【請求項３】
前記第１の接触面、前記第２の接触面、前記第３の接触面、前記第４の接触面、前記第５の接触面及び前記第６の接触面は円弧状の接触面である、請求項１に記載のスライドレールアセンブリ。
【請求項４】
第１の取り付け孔及び第２の取り付け孔が前記第１のレールの第１の壁部及び第２の壁部にそれぞれ配置されるとともに、前記第１の支持アセンブリの第１の支持部材及び第２の支持部材をそれぞれ固定するように構成されている、請求項１に記載のスライドレールアセンブリ。
【請求項５】
前記第１のレールの第２の長手方向位置に配置される第２の支持アセンブリをさらに含み、該第２の支持アセンブリは前記第２のレールを支持するように構成された第３の支持部材及び第４の支持部材を含む、請求項１に記載のスライドレールアセンブリ。
【請求項６】
前記摺動補助アセンブリのボールを前記第２のレール及び前記第３のレールに回転接触させるために前記第２のレールの第３の壁部と前記第３のレールの第４の壁部との間で第１の幅が定義され、前記第１のレールの第１の壁部と前記第２のレールの第３の壁部との間で第２の幅が定義され、該第２の幅は該第１の幅よりも小さい、請求項１に記載のスライドレールアセンブリ。
【請求項７】
第１の壁部、第２の壁部及び該第１の壁部と該第２の壁部との間で延在するように連結される第１の側壁とを含む第１のレールであって、該第１の壁部、該第２の壁部及び該第１の側壁によって第１の通路が定義される、第１のレールと、
前記第１の通路内で前記第１のレールに対して可動な第２のレールであって、該第２のレールは、第３の壁部、第４の壁部及び該第３の壁部と該第４の壁部との間で延在するように連結される第２の側壁を含み、該第３の壁部、該第４の壁部及び該第２の側壁によって第２の通路が定義される、第２のレールと、
前記第２の通路内で前記第２のレールに対して可動な第３のレールと、
前記第１のレールの第１の長手方向位置に配置される第１の支持アセンブリであって、該第１の支持アセンブリは、前記第１のレールの第１の壁部及び第２の壁部のそれぞれに固定配置される第１の支持部材及び第２の支持部材を含む、第１の支持アセンブリと、
前記第２のレールに配置される摺動補助アセンブリであって、該摺動補助アセンブリは前記第３のレールを前記第２のレールに対して動かすのを支援するように構成された複数のボールを含む、摺動補助アセンブリと、
前記第２のレールの第３の壁部及び第４の壁部のうちの一方に固定配置されるとともに、前記第２のレールの後端に隣接して位置するストッパと、
を含むスライドレールアセンブリであって、
当該スライドレールアセンブリの第３のレールを格納された位置から前記第２のレールに対してある方向に沿って引っ張り出した場合、前記第１のレールの第１の支持アセンブリは前記第２のレールを支持し、前記摺動補助アセンブリは前記第３のレールを支持し、
当該スライドレールアセンブリの第２のレールを前記第１のレールに対してある方向に沿って引っ張って所定の位置に移動させた場合、前記第２のレールのストッパは、前記第２のレールを前記所定の位置で止めるために前記第１のレールの第１の支持アセンブリの第１の支持部材及び第２の支持部材のうちの一方と当接する、スライドレールアセンブリ。
【請求項８】
前記第１のレールの第１の壁部は第１の屈曲部及び第２の屈曲部を含み、
前記第１の屈曲部は前記第１の側壁の上端から実質的に垂直に延び、前記第２の屈曲部は前記第１の屈曲部から実質的に垂直に延びており、
前記第２の壁部は第３の屈曲部及び第４の屈曲部を含み、
前記第３の屈曲部は前記第１の側壁の下端から実質的に垂直に延びるとともに前記第１の屈曲部に対応し、前記第４の屈曲部は前記第３の屈曲部から実質的に垂直に延びるとともに前記第２の屈曲部に対応する、請求項７に記載のスライドレールアセンブリ。
【請求項９】
前記第２のレールの第３の壁部は第１の屈曲部、第２の屈曲部及び第３の屈曲部を含み、
前記第１の屈曲部の内側で第１の接触面が形成され、前記第２の屈曲部の外側で第２の接触面が形成され、前記第３の屈曲部の端部は前記第１の屈曲部の方に延び、
前記第４の壁部は第４の屈曲部、第５の屈曲部及び第６の屈曲部を含み、
前記第４の屈曲部の内側で第３の接触面が形成され、前記第５の屈曲部の外側で第４の接触面が形成され、前記第６の屈曲部の端部は前記第４の屈曲部の方に延びる、請求項７に記載のスライドレールアセンブリ。
【請求項１０】
前記第３のレールは第５の壁部及び第６の壁部を含み、該第５の壁部は前記第２のレールの第１の接触面に対応する第５の接触面を有し、該第６の壁部は前記第２のレールの第３の接触面に対応する第６の接触面を有する、請求項９に記載のスライドレールアセンブリ。
【請求項１１】
前記第１の接触面、前記第２の接触面、前記第３の接触面、前記第４の接触面、前記第５の接触面及び前記第６の接触面は円弧状の接触面である、請求項１０に記載のスライドレールアセンブリ。
【請求項１２】
第１の取り付け孔及び第２の取り付け孔が前記第１のレールの第１の壁部及び第２の壁部にそれぞれ配置されるとともに、前記第１の支持アセンブリの第１の支持部材及び第２の支持部材をそれぞれ固定するように構成されている、請求項７に記載のスライドレールアセンブリ。
【請求項１３】
前記第１のレールの第２の長手方向位置に配置される第２の支持アセンブリをさらに含み、該第２の支持アセンブリは前記第２のレールを支持するように構成された第３の支持部材及び第４の支持部材を含む、請求項７に記載のスライドレールアセンブリ。
【請求項１４】
前記摺動補助アセンブリのボールを前記第２のレール及び前記第３のレールに回転接触させるために前記第２のレールの第３の壁部と前記第３のレールの第４の壁部との間で第１の幅が定義され、前記第１のレールの第１の壁部と前記第２のレールの第３の壁部との間で第２の幅が定義され、該第２の幅は該第１の幅よりも小さい、請求項７に記載のスライドレールアセンブリ。
【発明の詳細な説明】
【技術分野】
【０００１】
本発明はスライドレールアセンブリに関し、より具体的には限られたスペースで摺動の滑らかさ及び支持安定性を改善することが可能なスライドレールアセンブリに関する。
【背景技術】
【０００２】
一般に、スライドレールアセンブリには、ボールベアリングスライドレールアセンブリ（ball  bearing  slide  rail  assembly）及び一体軸受（摩擦）スライドレールアセンブリ（solid  bearing  slide  rail  assembly）の２種類がある。
【０００３】
特許文献１には、レール間の摺動の滑らかさを改善するためにボールベアリングを備えたボールベアリングスライドレールアセンブリが開示されている。係るボールベアリングスライドレールアセンブリをシャーシの保持のためにラックシステムに適用すると、メンテナンスのためにシャーシをラックの外に容易に引き出すことができるか又はスペースを節約するために、ボールベアリングスライドレールアセンブリを通じてシャーシをラック内へと押し込んで引っ込めることができる。しかしながら、シャーシの寸法が大きくなってきているため、ボールベアリングスライドレールアセンブリを設置するためのスペースが少なくなっている。
【０００４】
特許文献２には、一体軸受スライドレールアセンブリが開示されている。ボールベアリングスライドレールアセンブリとは対照的に、一体軸受スライドレールアセンブリの設置に必要なスペースは小さくて済む。しかしながら、ボールベアリングの構成を欠いているため、一体軸受スライドレールの摺動の滑らかさが低下する。
【先行技術文献】
【特許文献】
【０００５】
【特許文献１】米国特許第６８２０９５４号明細書
【特許文献２】米国特許第６８３４９２３号明細書
【特許文献３】米国特許第５８９５１０１号明細書
【発明の概要】
【発明が解決しようとする課題】
【０００６】
したがって、特定の市場の要求を満たすために様々なスライドレールアセンブリを開発することが重要である。
【課題を解決するための手段】
【０００７】
本発明は、限られたスペースで摺動の滑らかさ及び支持安定性を改善することが可能なスライドレールアセンブリを提供する。
【０００８】
本発明の一実施形態によれば、スライドレールアセンブリは第１のレール、第２のレール、第３のレール、第１の支持アセンブリ及び摺動補助アセンブリを含む。第１のレールは第１の壁部、第２の壁部及び該第１の壁部と該第２の壁部との間で延在するように連結される（extendedly  connected）第１の側壁とを含む。第１の壁部、第２の壁部及び第１の側壁によって第１の通路が定義される。第２のレールは第１の通路内で第１のレールに対して可動である。第２のレールは、第３の壁部、第４の壁部及び該第３の壁部と該第４の壁部との間で延在するように連結される第２の側壁を含む。第３の壁部、第４の壁部及び該第２の側壁によって第２の通路が定義される。第３の壁部は第１の屈曲部、第２の屈曲部及び第３の屈曲部をさらに含む。第４の壁部は第４の屈曲部、第５の屈曲部及び第６の屈曲部を含む。第１の屈曲部の内側で第１の接触面が形成され、第２の屈曲部の外側で第２の接触面が形成され、第３の屈曲部の端部は第１の屈曲部の方に延び、第４の屈曲部の内側で第３の接触面が形成され、第５の屈曲部の外側で第４の接触面が形成され、第６の屈曲部の端部は第４の屈曲部の方に延びている。第３のレールは第２の通路内で第２のレールに対して可動である。第３のレールは、第５の壁部、第６の壁部及び該第５の壁部と該第６の壁部との間で延在するように連結される第３の側壁を含む。第５の壁部は第２のレールの第１の接触面に対応する第５の接触面を有する。第６の壁部は第２のレールの第３の接触面に対応する第６の接触面を有する。第１の支持アセンブリは第１のレールの第１の長手方向位置に配置される。第１の支持アセンブリは、第１のレールの第１の壁部及び第２の壁部のそれぞれに固定配置される第１の支持部材及び第２の支持部材を含む。第１の支持アセンブリの第１の支持部材は第２のレールの第２の接触面に対応する第１の支持部を有し、第１の支持アセンブリの第２の支持部材は第２のレールの第４の接触面に対応する第２の支持部を有する。摺動補助アセンブリは第２のレールに配置される。摺動補助アセンブリは第３のレールを第２のレールに対して動かすのを支援するように構成された複数のボールを含む。
【０００９】
第１のレールの第１の壁部は第１の屈曲部及び第２の屈曲部を含むことが好ましい。第１の屈曲部は第１の側壁の上端から実質的に垂直に延びている。第２の屈曲部は第１の屈曲部から実質的に垂直に延びている。第２の壁部は第３の屈曲部及び第４の屈曲部を含む。第３の屈曲部は第１の側壁の下端から実質的に垂直に延びるとともに第１の屈曲部に対応する。第４の屈曲部は第３の屈曲部から実質的に垂直に延びるとともに第２の屈曲部に対応する。
【００１０】
第１の接触面、第２の接触面、第３の接触面、第４の接触面、第５の接触面及び第６の接触面は円弧状の接触面であることが好ましい。
【００１１】
第１の取り付け孔及び第２の取り付け孔が第１のレールの第１の壁部及び第２の壁部にそれぞれ配置されるとともに、第１の支持アセンブリの第１の支持部材及び第２の支持部材をそれぞれ固定するように構成されていることが好ましい。
【００１２】
上記のスライドレールアセンブリは第１のレールの第２の長手方向位置に配置される第２の支持アセンブリをさらに含むことが好ましい。第２の支持アセンブリは第２のレールを支持するように構成された第３の支持部材及び第４の支持部材を含む。
【００１３】
摺動補助アセンブリのボールを第２のレール及び第３のレールに回転接触させるために第２のレールの第３の壁部と第３のレールの第４の壁部との間で第１の幅が定義されることが好ましい。第１のレールの第１の壁部と第２のレールの第３の壁部との間で第２の幅が定義される。第２の幅は第１の幅よりも小さい。
【００１４】
本発明の別の実施形態によれば、スライドレールアセンブリは第１のレール、第２のレール、第３のレール、第１の支持アセンブリ、摺動補助アセンブリ及びストッパを含む。第１のレールは第１の壁部、第２の壁部及び該第１の壁部と該第２の壁部との間で延在するように連結される第１の側壁とを含む。第１の壁部、第２の壁部及び第１の側壁によって第１の通路が定義される。第２のレールは第１の通路内で第１のレールに対して可動である。第２のレールは、第３の壁部、第４の壁部及び該第３の壁部と該第４の壁部との間で延在するように連結される第２の側壁を含む。第３の壁部、第４の壁部及び該第２の側壁によって第２の通路が定義される。第３のレールは第２の通路内で第２のレールに対して可動である。第１の支持アセンブリは第１のレールの第１の長手方向位置に配置される。第１の支持アセンブリは、第１のレールの第１の壁部及び第２の壁部のそれぞれに固定配置される第１の支持部材及び第２の支持部材を含む。摺動補助アセンブリは第２のレールに配置される。摺動補助アセンブリは第３のレールを第２のレールに対して動かすのを支援するように構成された複数のボールを含む。ストッパは第２のレールの第３の壁部及び第４の壁部のうちの一方に固定配置されるとともに第２のレールの後端に隣接して位置する。当該スライドレールアセンブリの第３のレールを格納された位置（retracted  position）から第２のレールに対してある方向に沿って引っ張り出した場合、第１のレールの第１の支持アセンブリは第２のレールを支持し、摺動補助アセンブリは第３のレールを支持する。スライドレールアセンブリの第２のレールを第１のレールに対してある方向に沿って引っ張って所定の位置に移動させた場合、第２のレールのストッパは、第２のレールを所定の位置で止めるために第１のレールの第１の支持アセンブリの第１の支持部材及び第２の支持部材のうちの一方と当接する。
【００１５】
前記第１のレールの第１の壁部は第１の屈曲部及び第２の屈曲部を含むことが好ましい。第１の屈曲部は第１の側壁の上端から実質的に垂直に延びている。第２の屈曲部は第１の屈曲部から実質的に垂直に延びている。第２の壁部は第３の屈曲部及び第４の屈曲部を含む。第３の屈曲部は第１の側壁の下端から実質的に垂直に延びている。第４の屈曲部は第３の屈曲部から実質的に垂直に延びるとともに第２の屈曲部に対応する。
【００１６】
第２のレールの第３の壁部は第１の屈曲部、第２の屈曲部及び第３の屈曲部を含むことが好ましい。第１の屈曲部の内側で第１の接触面が形成され、第２の屈曲部の外側で第２の接触面が形成され、第３の屈曲部の端部は第１の屈曲部の方に延びる。第４の壁部は第４の屈曲部、第５の屈曲部及び第６の屈曲を含む。第４の屈曲部の内側で第３の接触面が形成され、第５の屈曲部の外側で第４の接触面が形成され、第６の屈曲部の端部は第４の屈曲部の方に延びる。
【００１７】
第３のレールの第５の壁部は第２のレールの第１の接触面に対応する第５の接触面を有し、第６の壁部は第２のレールの第３の接触面に対応する第６の接触面を有することが好ましい。
【００１８】
様々な図面に図示する下記の好ましい実施形態の詳細な説明を読み終えた後、本発明の上記の目的及び他の目的が当業者に間違いなく明らかになる。
【図面の簡単な説明】
【００１９】
【図１】図１は、本発明の一実施形態に係るスライドレールアセンブリの分解図である。
【図２】図２は、本発明の一実施形態に係るスライドレールアセンブリを示す図である。
【図３】図３は、本発明の一実施形態に係るスライドレールアセンブリの断面図である。
【図４】図４は、本発明の一実施形態に係る、引っ込められた状態にあるスライドレールアセンブリを示す図である。
【図５】図５は、本発明の一実施形態に係る、ある方向に沿って動かすために引っ張られたスライドレールアセンブリのレールを示す図である。
【図６】図６は、本発明の一実施形態に係る、ある方向に沿って所定の位置に動かすために引っ張られたスライドレールアセンブリの第２のレールを示す図である。
【図７】図７は、図６の領域Ａの拡大図である。
【図８】図８は、図６の領域Ａの三次元拡大図である。
【発明を実施するための形態】
【００２０】
図１〜図３に示すように、本発明のスライドレールアセンブリ１０は第１のレール１２、第２のレール１４、第３のレール１６、第１の支持アセンブリ１８及び摺動補助アセンブリ２０を含む。
【００２１】
第１のレール１２は第１の壁部２２、第２の壁部２４及び第１の壁部２２と第２の壁部２４との間で延在するように連結される第１の側壁２６を含む。第１の壁部２２、第２の壁部２４及び第１の側壁２６によって第１の通路２８が定義される。第１の壁部２２は第１の屈曲部３０ａ及び第２の屈曲部３０ｂを含む。第１の屈曲部３０ａは第１の側壁２６の上端から実質的に垂直に延びている。第２の屈曲部３０ｂは第１の屈曲部３０ａから実質的に垂直に延びている。第２の壁部２４は第３の屈曲部３０ｃ及び第４の屈曲部３０ｄを含む。第３の屈曲部３０ｃは第１の側壁２６の下端から実質的に垂直に延びるとともに第１の屈曲部３０ａに対応する。第４の屈曲部３０ｄは第３の屈曲部３０ｃから実質的に垂直に延びるとともに第２の屈曲部３０ｂに対応する。第１の側壁２６は前端３２ａ及び後端３２ｂを有する。第１のレール１２は、第１のレール１２の第１の側壁２６に配置されるとともに、第１の側壁２６の後端３２ｂに隣接して位置する停止部３４をさらに含むことが好ましい。
【００２２】
第２のレール１４は第１の通路２８内で第１のレール１２に対して可動である。第２のレール１４は第３の壁部３６、第４の壁部３８及び第３の壁部３６と第４の壁部３８との間で延在するように連結される第２の側壁４０を含む。第３の壁部３６、第４の壁部３８及び第２の側壁４０によって第２の通路４２が定義される。第３の壁部３６は第１の屈曲部４４ａ、第２の屈曲部４４ｂ及び第３の屈曲部４４ｃを含む。第１の屈曲部４４ａの内側で第１の接触面４６ａが形成され、第２の屈曲部４４ｂの外側で第２の接触面４６ｂが形成され、第３の屈曲部４４ｃの端部は第１の屈曲部４４ａの方に延びるか又は第１の屈曲部４４ａと当接する。第４の壁部３８は第４の屈曲部４４ｄ、第５の屈曲部４４ｅ及び第６の屈曲部４４ｆを含む。第４の屈曲部４４ｄの内側で第３の接触面４６ｃが形成され、第５の屈曲部４４ｅの外側で第４の接触面４６ｄが形成され、第６の屈曲部４４ｆの端部は第４の屈曲部４４ｄの方に延びるか又は第４の屈曲部４４ｄと当接する。第２のレール１４は前端４８ａ及び後端４８ｂを有する。本実施形態では、スライドレールアセンブリ１０は第２のレール１４の第３の壁部３６及び第４の壁部３８にそれぞれ固定配置されるとともに、第２のレール１４の後端４８ｂに隣接して位置する２つのストッパ５０をさらに含む。
【００２３】
第３のレール１６は第２の通路４２内で第２のレール１４に対して可動である。第３のレール１６は第５の壁部５２、第６の壁部５４及び第５の壁部５２と第６の壁部５４との間で延在するように連結される第３の側壁５６を含む。第５の壁部５２は、第２のレール１４の第１の接触面４６ａに対応する第５の接触面４６ｅを有する。第６の壁部５４は、第２のレール１４の第３の接触面４６ｃに対応する第６の接触面４６ｆを有する。第１の接触面４６ａ、第２の接触面４６ｂ、第３の接触面４６ｃ、第４の接触面４６ｄ、第５の接触面４６ｅ及び第６の接触面４６ｆは円弧状の接触面であることが好ましい。
【００２４】
第１の支持アセンブリ１８は第１のレール１２の第１の長手方向位置に配置されている。具体的には、第１の支持アセンブリ１８は対応構造を有する２つの部品を含む。例えば、第１の支持アセンブリ１８は、第１のレール１２の第１の壁部２２及び第２の壁部２４にそれぞれ固定配置される第１の支持部材５８ａ及び第２の支持部材５８ｂを含む。本実施形態では、少なくとも１つの第１の取り付け構造が第１のレール１２に配置されている。例えば、第１の取り付け孔６０ａ及び第２の取り付け孔６０ｂが第１のレール１２の第１の壁部２２及び第２の壁部２４にそれぞれ配置されるとともに、第１の支持アセンブリ１８の第１の支持部材５８ａ及び第２の支持部材５８ｂをそれぞれ固定するように構成されている。第１の支持アセンブリ１８の第１の支持部材５８ａは、第２のレール１４の第２の接触面４６ｂに対応する円弧状の突起である第１の支持部６２ａを有し、第１の支持アセンブリ１８の第２の支持部材５８ｂは、第２のレール１４の第４の接触面４６ｄに対応する円弧状の突起である第２の支持部６２ｂを有する。スライドレールアセンブリ１０は第１のレール１２の第２の長手方向位置に配置される第２の支持アセンブリ６４をさらに含むことが好ましい。第２の支持アセンブリ６４は、第２のレール１４を支持するように構成された第３の支持部材５８ｃ及び第４の支持部材５８ｄを含む。第２の支持アセンブリ６４の構成は第１の支持アセンブリ１８の構成と同一であるため、第２の支持アセンブリ６４の構成についてのさらなる説明は省略する。
【００２５】
摺動補助アセンブリ２０は第２のレール１４に配置されている。摺動補助アセンブリ２０は第３のレール１６を支持するとともに、滑らかさを改善するために第２のレール１４に対して第３のレール１６を動かすのを支援するよう構成された複数のボール６６を含む。
【００２６】
好ましい実施形態では、摺動補助アセンブリ２０のボール６６を第２のレール１４及び第３のレール１６と回転接触させるために、第２のレール１４の第３の壁部３６と第３のレール１６の第５の壁部５２との間で第１の幅ｗ１が定義されている。同様に、摺動補助アセンブリ２０のボール６６を第２のレール１４及び第３のレール１６と回転接触させるために、第２のレール１４の第４の壁部３８と第３のレール１６の第３の壁部３６との間で第１の幅ｗ１が定義されている。第１のレール１２の第１の壁部２２と第２のレール１４の第３の壁部３６との間で第２の幅ｗ２が定義されている。第２の幅ｗ２は第１の幅ｗ１よりも小さく、前述のボール６６を収容することができない。同様に、第１のレール１２の第２の壁部２４と第２のレール１４の第４の壁部３８との間で第２の幅ｗ２が定義されている。第２の幅ｗ２は第１の幅ｗ１よりも小さく、前述のボール６６を収容できない。第２の幅ｗ２は第１の支持アセンブリ１８及び第２の支持アセンブリ６４を収容するように構成されている。第１の支持アセンブリ１８及び第２の支持アセンブリ６４は第１のレール１２と第２のレール１４との間で摺動の滑らかさを改善できる。さらに、第１の支持アセンブリ１８及び第２の支持アセンブリ６４が占めるスペースは摺動補助アセンブリ２０よりも小さい。そのため、本発明のスライドレールアセンブリ１０は限られたスペースで用いられるように小さい体積を有することができる。
【００２７】
図４及び図５に示すように、スライドレールアセンブリ１０の第３のレール１６が引っ込め位置Ｐ０から第２のレール１４に対して方向Ｄに沿って引き出された場合、第１のレール１２の第１の支持アセンブリ１８及び第２の支持アセンブリ６４は第２のレール１４を支持するように構成されており、摺動補助アセンブリ２０は第３のレール１６を支持するように構成されている。さらに、第２のレール１４も方向Ｄに沿って引き出される。
【００２８】
図６〜図８に示すように、スライドレールアセンブリ１０の第２のレール１４が、第１のレール１２に対して方向Ｄに沿ってさらに引き出されて所定の位置Ｐ１に移動した場合、第２のレール１４のストッパ５０は、第２のレール１４を所定の位置Ｐ１で止めて第２のレール１４が第１のレール１２に対して方向Ｄに沿ってさらに動くのを防止するために第１のレール１２の第１の支持アセンブリ１８と当接する。
【００２９】
したがって、本発明は上記の構成を通じて限られたスペースで摺動の滑らかさ及び支持安定性を改善する３つのレールの（three-section）スライドアセンブリを提供する。
【００３０】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３１】
１０  スライドレールアセンブリ
１２  第１のレール
１４  第２のレール
１６  第３のレール
１８  第１の支持アセンブリ
２０  摺動補助アセンブリ
２２  第１の壁部
２４  第２の壁部
２６  第１の側壁
２８  第１の通路
３０ａ、３０ｂ、３０ｃ、３０ｄ  屈曲部
３２ａ  前端
３２ｂ  後端
３４  停止部
３６  第３の壁部
３８  第４の壁部
４０  第２の側壁
４２  第２の通路
４４ａ、４４ｂ、４４ｃ、４４ｄ  屈曲部
４６ａ、４６ｂ、４６ｃ、４６ｄ  接触面
４８ａ  前端
４８ｂ  後端
５０  ストッパ
５２  第５の壁部
５４  第６の壁部
５６  第３の側壁
５８ａ、５８ｂ  支持部材
６０ａ、６０ｂ  取り付け孔
６２ａ、６２ｂ  支持部
６４  第２の支持アセンブリ
６６  ボール
【図１】
2018047220.tif 000003
【図２】
2018047220.tif 000004
【図３】
2018047220.tif 000005
【図４】
2018047220.tif 000006
【図５】
2018047220.tif 000007
【図６】
2018047220.tif 000008
【図７】
2018047220.tif 000009
【図８】
2018047220.tif 000010